(57)【要約】【課題】ポケットＷｉＦｉ機器に、当該するポケットＷｉＦｉ機器に接続したデバイスをアクセスさせるＵＲＬをソフトウェアの更新に依存することなく、随意に編集、変更する手段と、初期設定値と異なる設定値に設定変更されたポケットＷｉＦｉ機器がその設定変更の意図に反する利用状態にされる初期化操作を制限する方法を提供する。【解決手段】ポケットＷｉＦｉ機器のＷｅｂ  ＵＩに、利用者が通常で実施可能なポケットＷｉＦｉ機器を初期化する操作を無効にする機能と、無効になった状態から有効にする機能を備える管理者モードを設け、利用者が通常で実施可能なポケットＷｉＦｉ機器の初期化操作が無効になった状態で、Ｗｅｂ  ＵＩの管理者モードの下でしかポケットＷｉＦｉ機器を初期化できない手段を備え、また、ポケットＷｉＦｉ機器のＷｅｂ  ＵＩに、ポケットＷｉＦｉ機器に接続したデバイスを指定したＵＲＬにアクセスさせる機能において、管理者モードのＷｅｂ  ＵＩで、指定するＵＲＬ情報を編集、変更する手段を備えることを特徴とする。【特許請求の範囲】
【請求項１】
ポケットＷｉＦｉ機器のＷｅｂ  ＵＩに、利用者が通常で実施可能なポケットＷｉＦｉ機器を初期化する操作を無効にする機能と、無効になった状態から有効にする機能を備える管理者モードを設け、利用者が通常で実施可能なポケットＷｉＦｉ機器の初期化操作が無効になった状態で、Ｗｅｂ  ＵＩの管理者モードの下でしかポケットＷｉＦｉ機器を初期化できない手段を備えることを特徴とするポケットＷｉＦｉ機器管理システム。
【請求項２】
ポケットＷｉＦｉ機器のＷｅｂ  ＵＩに、ポケットＷｉＦｉ機器に接続したデバイスを指定したＵＲＬにアクセスさせる機能において、指定ＵＲＬを前記管理者モードのＷｅｂ  ＵＩで、指定するＵＲＬ情報を編集、変更する手段を備えることを特徴とするポケットＷｉＦｉ機器による情報提供管理システム。
【発明の詳細な説明】
【技術分野】
【０００１】本発明は、ポケットＷｉＦｉ機器の設定、操作及び情報提供の管理技術に関するものである。
【背景技術】
【０００２】ポケットＷｉＦｉ機器は、機器本体の操作キーやボタン、又は、機器本体モニターのＵＩ、それから、ポケットＷｉＦｉ機器をパソコン、モバイル端末など通信機器に接続し、接続された端末で表示されるＷｅｂ  ＵＩでポケットＷｉＦｉ機器の設定、操作を行うのが一般的である。【０００３】前記操作の方法、Ｗｅｂ  ＵＩのアクセス方法及びログインに必要な情報は利用者に公開されるのが一般的である。利用者はポケットＷｉＦｉ機器の設定、ソフトウェアの更新、ポケットＷｉＦｉ機器の初期化などを実施することが可能である。【０００４】使用目的、利用条件などにより、ポケットＷｉＦｉ機器は初期設定値と異なる設定値に設定変更されることがある。【０００５】しかし、ポケットＷｉＦｉ機器を初期化すると、前記設定変更されたポケットＷｉＦｉ機器の初期設定値と異なる設定値は全て初期値に強制的に復元されてしまう。【０００６】ポケットＷｉＦｉ機器を意図的に初期値と異なる設定値に変更した場合、設定変更をした者以外の利用者が当該ポケットＷｉＦｉ機器を使用する際に、ポケットＷｉＦｉ機器の初期化を行うと、初期値と異なる設定値に変更した者の意図に反する設定状態での利用になってしまったり、使用不能になったりする。【０００７】ポケットＷｉＦｉ機器を意図的に初期値と異なる設定値に変更した者は、初期化により、ポケットＷｉＦｉ機器が使用不能になった場合は、利用者は利用できない旨の申告により、ポケットＷｉＦｉが使用不能になったのをすぐに把握できるが、ポケットＷｉＦｉ機器は自分の意図で初期設定値と異なるに変更した設定値がクリアされ、初期設定値に復元されたが、ポケットＷｉＦｉの基本機能が正常に動作する場合は、そのポケットＷｉＦｉ機器が自分の意図に反する利用状態にあるのをすぐに把握できない可能性があるため、気付かずに自分の意図に反する利用実態を一定期間中に是正できない可能性もある。【０００８】ポケットＷｉＦｉ機器に、当該するポケットＷｉＦｉ機器に接続したデバイスを誘導しようとするＵＲＬにアクセスさせる機能があるが、ポケットＷｉＦｉ機器にインストールされたソフトウェアに、予めＵＲＬ情報を書き込むのが一般的である。【０００９】ポケットＷｉＦｉ機器本体に文字情報を入力する手段がないため、ソフトウェアに書き込まれたＵＲＬ情報を変更するには、ソフトウェアの当該ＵＲＬ情報を修正し、ポケットＷｉＦｉ機器に新しいソフトウェアをインストールし直すか、ポケットＷｉＦｉ機器のＵＩ、又は、Ｗｅｂ  ＵＩでソフトウェアの更新を行うしか方法がない。【００１０】
【発明の展示】
【発明が解決しようとする課題】
【００１１】本発明の目的は、ポケットＷｉＦｉ機器に、当該するポケットＷｉＦｉ機器に接続したデバイスをアクセスさせるＵＲＬをソフトウェアの更新に依存することなく、随意に編集、変更する手段と、初期設定値と異なる設定値に設定変更されたポケットＷｉＦｉ機器がその設定変更の意図に反する利用状態にされる初期化操作を制限する方法を提供することである。
【課題を解決するための手段】
【００１２】本発明では上記課題を解決するため、下記のようなシステム構成を採用する。
【００１３】ポケットＷｉＦｉ機器のＷｅｂ  ＵＩに、管理者モードを設ける。管理者モードにログインするのに必要な認証情報は、設定変更を行う者に開示するが、一般公開はしない。
【００１４】管理者モードの下で、利用者が通常で実施可能なポケットＷｉＦｉ機器の初期化操作を無効にする機能と、無効になった状態から有効に変更する機能を管理者モードに設ける。
【００１５】管理者モードにより、利用者が通常で実施可能なポケットＷｉＦｉ機器の初期化操作が無効になった状態で、管理者モードの下でしか初期化を実施できない仕様とする。
【００１６】ポケットＷｉＦｉ機器のＷｅｂ  ＵＩに、ポケットＷｉＦｉ機器に接続したデバイスを指定したＵＲＬにアクセスさせる機能において、管理者モードのＷｅｂ  ＵＩで、指定するＵＲＬ情報を随意に編集、変更する機能を設ける。
【発明の効果】
【００１７】本発明は上記のような管理方式を採用することにより、ポケットＷｉＦｉ機器に、当該するポケットＷｉＦｉ機器に接続したデバイスをアクセスさせるＵＲＬをソフトウェアの更新に依存することなく、随意に編集、変更する手段と、初期設定値と異なる設定値に設定変更されたポケットＷｉＦｉ機器がその設定変更の意図に反する利用状態にされる初期化操作を制限する方法を提供できるようになった。
【発明を実施するための形態】
【００１８】以下に本発明の実施の形態について説明する。
【００１９】ポケットＷｉＦｉ機器のＷｅｂ  ＵＩに、通常モードと異なる管理者モードを設ける。
【００２０】管理者モードＷｅｂ  ＵＩのアドレス情報、アクセス方法及びログイン用認証情報であるパスワードを一般公開しない。管理者モードでの操作を許可した者だけに開示する。
【００２１】管理者モードのＷｅｂ  ＵＩにアクセスし、管理者モード専用パスワードを入力することにより、管理者モードにログインする。
【００２２】管理者モードに、通常で実施可能な初期化操作を有効から無効に、又は、無効から有効に切り替える機能を設ける。
【００２３】通常での初期化を無効に設定変更した場合、ポケットＷｉＦｉ本体の初期化ボタンは押されても、初期化コマンドはポケットＷｉＦｉ機器に拒否され、初期化操作は無効になる仕様とする。
【００２４】また、ポケットＷｉＦｉ機器モニターのＵＩに通常表示される初期化実施メニュー、それから、通常利用者に公開される通常Ｗｅｂ  ＵＩにある初期化操作メニューは全てマスクされ、表示されなくなる仕様とする。
【００２５】管理者モードに、ポケットＷｉＦｉ機器を初期化するメニューを設ける。初期化を実施するには、管理者モードのＷｅｂ  ＵＩにアクセスにし、ログインした状態で、管理者モードの下にある当該初期化メニューにて、ポケットＷｉＦｉ機器の初期化を実施する。
【００２６】通常モードでの初期化操作が無効になった状態から有効にするには、管理者モードのＷｅｂ  ＵＩにアクセスしてログインした状態で、前記管理者モードの通常状態での初期化操作を有効から無効に、又は無効から有効に切り替える選択メニューにて、通常モードでの初期化操作を有効にする。
【００２７】通常での初期化操作を無効から有効に設定変更すれば、ポケットＷｉＦｉ本体の初期化ボタンは押せば、初期化コマンドはポケットＷｉＦｉ機器に受け入れられ、初期化は実施される。
【００２８】また、ポケットＷｉＦｉ機器モニターに表示されるＵＩ、それから一般公開されているＷｅｂ  ＵＩに初期化実施メニューが表示されるようになり、これらの初期化操作メニューでのポケットうぃＦｉ初期化操作が可能になる。
【００２９】管理者モードに、ポケットＷｉＦｉ機器に接続したデバイスをアクセスさせるＵＲＬの情報内容を編集するメニューを設け、メニューにＵＲＬ情報を直接に入力、編集する欄を設ける。
【００３０】管理者モードのＷｅｂ  ＵＩにアクセスしてログインした状態で、前記メニューのＵＲＬ情報記載欄に、ＵＲＬ情報を編集してから、保存して適用させる。
【００３１】ＵＲＬ情報変更完了後、ポケットＷｉＦｉ機器に接続したデバイスをアクセスさせるＵＲＬは更新されたＵＲＬになる。